(57)【要約】【課題】ある程度の品質以上を維持しながら、デジタル放送データに基づいてコンテンツをユーザが視聴することを可能とする受信システム、受信方法及び受信プログラムを提供する。【解決手段】低品位放送データと高品位放送データとが重畳されたデジタル放送データを受信する外部機器１００と、外部機器１００に接続されており、デジタル放送データを再生する端末装置２００とを備えた受信システム１において、端末装置２００は、デジタル放送データに基づいて、低品位放送データと高品位放送データとを分離する第３分離部２０７と、データの再生処理を行う再生部２１１と、端末装置２００の処理能力に基づいて、低品位放送データ及び高品位放送データのうち、再生部２１１に出力するデータを判定する判定部２０９ａとを備え、第３分離部２０７は、判定部２０９ａによって判定されたデータを再生部２１１に出力する。【選択図】図５
2010093500.tif 000002
【特許請求の範囲】
【請求項１】
低品位放送データと高品位放送データとが重畳されたデジタル放送データを受信する外部機器と、前記外部機器に接続されており、前記デジタル放送データを再生する端末装置とを備えた受信システムであって、
前記端末装置は、
前記デジタル放送データに基づいて、前記低品位放送データと前記高品位放送データとを分離する分離部と、
データの再生処理を行う再生部と、
前記端末装置の処理能力に基づいて、前記低品位放送データ及び前記高品位放送データのうち、前記再生部に出力するデータを判定する判定部とを備え、
前記分離部は、前記判定部によって判定されたデータを前記再生部に出力することを特徴とする受信システム。
【請求項２】
前記判定部は、前記再生処理に割り当て可能な前記端末装置の処理能力に基づいて、前記再生部に出力するデータを判定することを特徴とする請求項１に記載の受信システム。
【請求項３】
前記判定部は、前記再生処理において単位時間当りに再生する情報量に基づいて、前記再生部に出力するデータを判定することを特徴とする請求項１に記載の受信システム。
【請求項４】
データを記憶する記憶部をさらに備え、
前記分離部は、少なくとも前記高品位放送データを前記記憶部に出力することを特徴とする請求項１に記載の受信システム。
【請求項５】
低品位放送データと高品位放送データとが重畳されたデジタル放送データを受信する受信方法であって、
前記デジタル放送データに基づいて、前記低品位放送データと前記高品位放送データとを分離するステップＡと、
前記端末装置の処理能力に基づいて、前記低品位放送データ及び前記高品位放送データのうち、再生するデータを判定するステップＢと、
前記ステップＢにおいて判定されたデータを再生するステップＣとを含むことを特徴とする受信方法。
【請求項６】
低品位放送データと高品位放送データとが重畳されたデジタル放送データを受信する受信プログラムであって、コンピュータに、
前記デジタル放送データに基づいて、前記低品位放送データと前記高品位放送データとを分離するステップＡと、
前記端末装置の処理能力に基づいて、前記低品位放送データ及び前記高品位放送データのうち、再生するデータを判定するステップＢと、
前記ステップＢにおいて判定されたデータを再生するステップＣとを実行させることを特徴とする受信プログラム。
【発明の詳細な説明】
【技術分野】
【０００１】
本発明は、低品位放送データと高品位放送データとが重畳されたデジタル放送データを受信する受信システム、受信方法及び受信プログラムに関する。
【背景技術】
【０００２】
近年、ワンセグメント放送データ及びフルセグメント放送データを含むデジタル放送データの放送が注目を集めている。ワンセグメント放送では、１チャネルを構成する１３個のセグメントのうち、１個のセグメントが用いられる。フルセグメント放送では、１チャネルを構成する１３個のセグメントのうち、残りの１２個のセグメントが用いられる。
【０００３】
また、ワンセグメント放送データは、ノイズやマルチパスに対する耐性が強い強階層のセグメントによって放送される。一方で、フルセグメント放送データは、ノイズやマルチパスに対する耐性が弱い弱階層のセグメントによって放送される。
【０００４】
このように、ワンセグメント放送データの特性は、情報量が少なく、ノイズやマルチパスに対する耐性が強いことである。一方で、フルセグメント放送データの特性は、情報量が多く、ノイズやマルチパスに対する耐性が弱いことである。
【０００５】
このような背景において、ワンセグメント放送データ及びフルセグメント放送データを受信するカーナビゲーションが提案されている。具体的には、カーナビゲーションは、デジタル放送データの受信強度が大きい場合には、フルセグメント放送データに基づいて高品位なコンテンツ（画像や音声など）を出力する。一方で、カーナビゲーションは、デジタル放送データの受信強度が小さい場合には、ワンセグメント放送データに基づいて低品位なコンテンツ（画像や音声など）を出力する（例えば、非特許文献１）。
【非特許文献１】「松下、HDDカーナビ「Strada」に“12セグ標準装備モデル”」、[online]、2007年9月10日、IT Media +D LifeStyle、［2008年10月7日検索］、インターネット＜URL：http://plusd.itmedia.co.jp/lifestyle/articles/0709/10/news070.html＞
【発明の開示】
【発明が解決しようとする課題】
【０００６】
ところで、パーソナルコンピュータなどの端末装置に接続され、ワンセグメント放送データを受信するチューナを内蔵する外部機器が知られている。同様に、パーソナルコンピュータなどの端末装置に接続され、フルセグメント放送データを受信するチューナを内蔵する外部機器も知られている。
【０００７】
ここで、外部機器によって受信されたワンセグメント放送データやフルセグメント放送データは、端末装置上で動作するアプリケーション（すなわち、ソフトウェア）によって再生される。
【０００８】
しかしながら、フルセグメント放送データの再生負荷は高い。従って、端末装置上で動作するアプリケーション（すなわち、ソフトウェア）によって、フルセグメント放送データを再生すると、端末装置において再生処理に係る負荷が非常に大きくなってしまう。この結果、端末装置に外部機器を接続しても、フルセグメント放送データに基づいて高品位な画像を適切に視聴できない場合があった。
【０００９】
そこで、本発明は、上述した課題を解決するためになされたものであり、ある程度の品質以上を維持しながら、デジタル放送データに基づいてコンテンツをユーザが視聴することを可能とする受信システム、受信方法及び受信プログラムを提供することを目的とする。
【課題を解決するための手段】
【００１０】
上述した課題を解決するため、本発明は、次のような特徴を有している。まず、本発明の第１の特徴は、低品位放送データ（ワンセグメント放送データ）と高品位放送データ（フルセグメント放送データ）とが重畳されたデジタル放送データを受信する外部機器（外部機器１００）と、前記外部機器に接続されており、前記デジタル放送データを再生する端末装置（端末装置２００）とを備えた受信システム（受信システム１）であって、前記端末装置は、前記デジタル放送データに基づいて、前記低品位放送データと前記高品位放送データとを分離する分離部（第３分離部２０７）と、データの再生処理を行う再生部（再生部２１１）と、前記端末装置の処理能力に基づいて、前記低品位放送データ及び前記高品位放送データのうち、前記再生部に出力するデータを判定する判定部（判定部２０９ａ）とを備え、前記分離部は、前記判定部によって判定されたデータを前記再生部に出力することを要旨とする。
【００１１】
本発明の第１の特徴によれば、端末装置は、自装置の処理能力に基づいて、低品位放送データおよび高品位放送データのうち、再生部に出力するデータを判定し、分離部は、判定されたデータを再生部に出力する。すなわち、本発明の第１の特徴によれば、端末装置は、自装置の処理能力に基づいて判定されたデータを再生する。このような構成によれば、端末装置は、自装置の処理能力が所定能力以上である場合には、再生処理に係る負荷が大きい高品位放送データを再生することができ、自装置の処理能力が所定能力未満である場合には、再生処理に係る負荷が小さい低品位放送データを再生することができる。従って、ある程度の品質以上を維持しながら、デジタル放送データに基づいてコンテンツを端末装置のユーザに視聴させることができる。
【００１２】
本発明の第２の特徴は、本発明の第１の特徴に係り、前記判定部は、前記再生処理に割り当て可能な前記端末装置の処理能力に基づいて、前記再生部に出力するデータを判定することを要旨とする。
【００１３】
本発明の第３の特徴は、本発明の第１の特徴に係り、前記判定部は、前記再生処理において単位時間当りに再生する情報量に基づいて、前記再生部に出力するデータを判定することを要旨とする。
【００１４】
本発明の第４の特徴は、本発明の第１の特徴に係り、データを記憶する記憶部（記憶部２０８）をさらに備え、前記分離部は、少なくとも前記高品位放送データを前記記憶部に出力することを要旨とする。
【００１５】
本発明の第５の特徴は、低品位放送データと高品位放送データとが重畳されたデジタル放送データを受信する受信方法であって、前記デジタル放送データに基づいて、前記低品位放送データと前記高品位放送データとを分離するステップＡと、前記端末装置の処理能力に基づいて、前記低品位放送データ及び前記高品位放送データのうち、再生するデータを判定するステップＢと、前記ステップＢにおいて判定されたデータを再生するステップＣとを含むことを要旨とする。
【００１６】
本発明の第６の特徴は、低品位放送データと高品位放送データとが重畳されたデジタル放送データを受信する受信プログラムであって、コンピュータに、前記デジタル放送データに基づいて、前記低品位放送データと前記高品位放送データとを分離するステップＡと、前記端末装置の処理能力に基づいて、前記低品位放送データ及び前記高品位放送データのうち、再生するデータを判定するステップＢと、前記ステップＢにおいて判定されたデータを再生するステップＣとを実行させることを要旨とする。
【発明の効果】
【００１７】
本発明によれば、ある程度の品質以上を維持しながら、デジタル放送データに基づいてコンテンツをユーザが視聴することを可能とする受信システム、受信方法及び受信プログラムを提供することができる。
【発明を実施するための最良の形態】
【００１８】
次に、本発明に係る端末装置の実施形態について、図面を参照しながら説明する。なお、以下の図面の記載において、同一又は類似の部分には、同一又は類似の符号を付している。ただし、図面は模式的なものであり、各寸法の比率などは現実のものとは異なることに留意すべきである。従って、具体的な寸法などは以下の説明を参酌して判断すべきものである。また、図面相互間においても互いの寸法の関係や比率が異なる部分が含まれていることは勿論である。
【００１９】
［第１実施形態］
以下において、本発明の第１実施形態に係る受信システムについて、図面を参照しながら説明する。具体的には、（１）受信システムの構成、（２）デジタル放送データの構成、（３）外部機器の構成、（４）端末装置の構成、（５）受信システムの動作、（６）作用・効果、（７）変形例１、（８）変形例２について説明する。
【００２０】
（１）受信システムの構成
まず、本発明の第１実施形態に係る受信システムの構成について、図１を参照しながら説明する。図１は、第１実施形態に係る受信システム１を示す図である。
【００２１】
受信システム１は、図１に示すように、外部機器１００と、端末装置２００とを備える。第１実施形態では、受信システム１は、低品位放送データと高品位放送データとが重畳されたデジタル放送データを受信する。低品位放送データとして、ワンセグメント放送データを例示する。高品位放送データとして、フルセグメント放送データを例示する。
【００２２】
ここで、１つの放送局に対応するデジタル放送データは、１つのチャネルを用いて放送される。１つのチャネルは、例えば、１３個のセグメントを有する。ワンセグメント放送データは、１３個のセグメントのうち、１個のセグメントを用いて放送される。フルセグメント放送データは、１３個のセグメントのうち、残りの１２個のセグメントを用いて放送される。このように、ワンセグメント放送データの情報量は、フルセグメント放送データの情報量よりも少ない。一般的に、フルセグメント放送データにはスクランブルが施されており、ワンセグメント放送データにはスクランブルが施されていない。
【００２３】
外部機器１００は、デジタル放送データを受信する機器である。外部機器１０は、デジタル放送データを受信するチューナを有する。外部機器１０は、ワンセグメント放送データ及びフルセグメント放送データの双方を受信する。
【００２４】
外部機器１００は、例えば、ＵＳＢインタフェースを有しており、ＵＳＢケーブルによって端末装置２００に接続される。すなわち、外部機器１００は、端末装置２００に着脱可能に構成されている。外部機器１００の構成については、後に詳述する（図４を参照）。
【００２５】
端末装置２００は、パーソナルコンピュータなどの端末装置である。端末装置２００は、外部機器１００に接続され、デジタル放送データを再生する。端末装置２００の構成については、後に詳述する（図５を参照）。
【００２６】
（２）デジタル放送データの構成
以下において、本発明の第１実施形態に係るデジタル放送データの構成について、図面を参照しながら説明する。図２、図３（ａ）〜図３（ｄ）は、第１実施形態に係るデジタル放送データを説明するための図である。
【００２７】
上述したように、１つの放送局に対応するデジタル放送データは、１つのチャネルを用いて放送される。一方で、デジタル放送では、各放送局に対応する複数のデジタル放送データが放送される。従って、デジタル放送では、各放送局に対応する複数のチャネルを管理するための情報（ＰＳＩ；Program Specific Information）が放送される。ＰＳＩなどの情報はパケット化される。
【００２８】
１つの放送局に対応するデジタル放送データは、１つのチャネルを管理するための情報（ＳＩ；Stream Information）と、映像や音声などの各種情報（ＥＳ；Elementary Stream）とを含む。デジタル放送データはパケット化される。
【００２９】
第１に、パケットの構成について図２を参照しながら説明する。図２に示すように、デジタル放送データを構成するパケットは、ヘッダ及びペイロードによって構成される。
【００３０】
ヘッダは、ペイロードの種類を示す情報（後述するＰＩＤ；Packet Identifier）などを有する。ペイロードは、ＰＳＩ、ＳＩ、映像情報、音声情報、データ情報などを含む。
【００３１】
ヘッダは、図２に示すように、同期情報（ａ）と、エラー表示（ｂ）と、開始表示（ｃ）と、優先度（ｄ）と、ＰＩＤ（ｅ）と、スクランブル制御（ｆ）と、付加情報制御（ｇ）と、順序表示（ｈ）とを含む。
【００３２】
同期情報（ａ）は、パケットの先頭を識別するためのビット列（例えば、８ｂｉｔ）である。エラー表示（ｂ）は、パケットの誤りの有無を示すビット列（例えば、１ｂｉｔ）である。開始表示（ｃ）は、ペイロードの先頭（開始位置）を示すビット列（例えば、１ｂｉｔ）である。優先度（ｄ）は、パケットの優先度を示すビット列（例えば、１ｂｉｔ）である。
【００３３】
ＰＩＤ（ｅ）は、パケット（ペイロード）の種類を示すビット列（例えば、１３ｂｉｔ）である。上述したように、ペイロードは、ＰＳＩ、ＳＩ、映像情報、音声情報、データ情報などを含む。すなわち、ＰＩＤは、いずれの情報がペイロードに含まれているかを示す。
【００３４】
スクランブル制御（ｆ）は、スクランブルの方法（モード）を示すビット列（例えば、２ｂｉｔ）である。スクランブルの方法（モード）は、スクランブルを施さない方法（モード）を含む。
【００３５】
付加情報制御（ｇ）は、付加情報が含まれているか否かを示すビット列（例えば、２ｂｉｔ）である。付加情報は、例えば、プログラム基準時刻（ＰＣＲ：Program Clock Reference）である。
【００３６】
順序表示（ｈ）は、パケットの連続性をＰＩＤ毎に示すビット列（例えば、４ｂｉｔ）である。順序表示（ｈ）は、ＰＩＤ毎にパケットが連続しているか否かの判定に用いられる。
【００３７】
第２に、代表的なパケットの種類について、図３（ａ）〜図３（ｄ）を参照しながら説明する。上述したように、パケット（ペイロード）の種類は、ＰＩＤによって識別される。
【００３８】
図３（ａ）〜図３（ｄ）に示すように、パケット（ペイロード）の種類は、ＥＣＭ（Entitlement Control Message）、映像情報（Ｖ）、音声情報（Ａ）、データ情報（Ｄ）などである。
【００３９】
ここで、ＥＣＭは、スクランブルの解除に用いるスクランブル鍵の取得に用いる情報を含む。例えば、スクランブル鍵として、奇数番目のスクランブル鍵及び偶数番目のスクランブル鍵が交互に用いられるケースでは、ＥＣＭは、スクランブルに用いたスクランブル鍵が、奇数番目のスクランブル鍵であるか、偶数番目のスクランブル鍵であるかを示す情報を含む。
【００４０】
なお、映像情報（Ｖ）を含むパケット及び音声情報（Ａ）を含むパケットにはスクランブルが施されている。ＥＣＭを含むパケット及びデータ情報（Ｄ）を含むパケットにはスクランブルが施されていない。
【００４１】
（３）外部機器の構成
以下において、本発明の第１実施形態に係る外部機器の構成について、図４を参照しながら説明する。図４は、第１実施形態に係る外部機器１００を示すブロック図である。
【００４２】
外部機器１００は、図４に示すように、アンテナ１１０と、受信処理部１２０と、インタフェース１３０とを備える。
【００４３】
アンテナ１１０は、ワンセグメント放送データ及びフルセグメント放送データが重畳されたデジタル放送データの電波を受信する。
【００４４】
受信処理部１２０は、アンテナ１１０によって受信された電波に基づいて、ワンセグメント放送データ及びフルセグメント放送データを取得する。受信処理部１２は、ユーザによって選択された１つのチャネルに対応するデジタル放送データ（ワンセグメント放送データ及びフルセグメント放送データ）を取得する。
【００４５】
具体的には、受信処理部１２０は、復調処理及び復号処理を行う。詳細には、受信処理部１２０は、同期検波処理、ガードインターバルの除去処理、ＤＦＴ（Discrete Fourier Transform）処理、逆拡散処理、並列直列変換処理などを行う。
【００４６】
なお、アンテナ１１０及び受信処理部１２０は、デジタル放送データを受信するチューナを構成する。
【００４７】
インタフェース１３０は、端末装置２００に接続するためのインタフェースである。インタフェース１３０は、例えば、ＵＳＢポートなどである。インタフェース１３０は、ワンセグメント放送データ及びフルセグメント放送データが重畳されたデジタル放送データを端末装置２００に出力する。
【００４８】
（４）端末装置の構成
（４．１）端末装置の概略構成
以下において、本発明の第１実施形態に係る端末装置の概略構成について、図５を参照しながら説明する。図５は、第１実施形態に係る端末装置２００を示すブロック図である。
【００４９】
端末装置２００は、図５に示すように、インタフェース２０１と、第１分離部２０２と、第２分離部２０３と、チャネル情報解析部２０４と、ＣＡモジュール２０５と、デスクランブル部２０６と、第３分離部２０７と、記憶部２０８と、制御部２０９と、デコード部２１０と、再生部２１１と、スイッチ群（ＳＷ１〜ＳＷ５）とを備える。
【００５０】
インタフェース２０１は、外部機器１００を接続するためのインターフェイスである。インターフェイス２０１は、例えば、ＵＳＢポートなどである。インターフェイス２０１は、ワンセグメント放送データ及びフルセグメント放送データが重畳されたデジタル放送データを外部機器１００から取得する。インタフェース２０１は、外部機器１００から取得したデジタル放送データを、第１分離部２０２に出力する。
【００５１】
第１分離部２０２は、パケットに含まれるＰＩＤを参照して、ＰＳＩやＳＩを含むパケットを分離する。第１分離部２０２は、ＰＳＩやＳＩを含むパケットをチャネル情報解析部２０４および第３分離部２０７に出力する。第１分離部２０２は、ＰＳＩやＳＩを除いた他のパケットを第２分離部２０３に出力する。ＰＳＩやＳＩを除いた他のパケットには、映像情報を含むパケット、音声情報を含むパケット、データ情報を含むパケットなどが含まれる。
【００５２】
第２分離部２０３は、ＰＳＩやＳＩを含むパケットを除いた他のパケットを分離する。具体的には、第２分離部２０３は、スクランブルが施されたスクランブルパケットと、スクランブルが施されていないノンスクランブルパケットとを分離する。スクランブルパケットには、フルセグメント放送データが含まれる。ノンスクランブルパケットには、少なくともワンセグメント放送データが含まれる。ノンスクランブルパケットには、フルセグメント放送データが含まれていてもよい。
【００５３】
第２分離部２０３は、スクランブルパケットをデスクランブル部２０６に出力する。第２分離部２０３は、ノンスクランブルパケットを第３分離部２０７に出力する。
【００５４】
チャネル情報解析部２０４は、ＰＳＩやＳＩを含むパケットを解析する。第１に、チャネル情報解析部２０４は、ＰＳＩを含むパケットから、ＰＡＴ（Program Association Table）を抽出する。続いて、チャネル情報解析部２０４は、ＰＡＴに基づいて、ユーザによって選択された１つのチャネルに対応するデジタル放送データのＰＭＴ（Program Map Table）を含むパケットを識別するＰＩＤを抽出する。ＰＡＴには、各チャネルに対応するデジタル放送データのＰＭＴを含むパケットを識別するＰＩＤが記述されている。ＰＭＴには、デジタル放送データを構成する各データ（ＥＣＭ、映像情報、音声情報、データ情報）を含むパケットを識別するＰＩＤが記述されている。
【００５５】
第２に、チャネル情報解析部２０４は、ＳＩを含むパケットから、ＰＭＴ（Program Map Table）を抽出する。続いて、チャネル情報解析部２０４は、ＰＭＴに基づいて、デジタル放送データを構成する各データ（ＥＣＭ、映像情報、音声情報、データ情報）を含むパケットを識別するＰＩＤを抽出する。チャネル情報解析部２０４は、各データを含むパケットを識別するＰＩＤをＣＡモジュール２０５に通知する。
【００５６】
ＣＡモジュール２０５は、スクランブルの解除に用いるスクランブル鍵を格納する。ＣＡモジュール２０５は、端末装置２００に内蔵されていてもよく、端末装置２００に着脱可能に構成されていてもよい。例えば、ＣＡモジュール２０５としては、ＢＣＡＳ（BS Conditional Access System）カードなどが用いられる。ＣＡモジュール２０５は、チャネル情報解析部２０４から通知されたＰＩＤに応じて、スクランブル鍵をデスクランブル部２０６に出力する。
【００５７】
デスクランブル部２０６は、スクランブル鍵を用いて、デジタル放送データに施されたスクランブルを解除するデスクランブル処理を行う。具体的には、デスクランブル部２０６は、ＣＡモジュール２０５から取得されたスクランブル鍵を用いて、第２分離部２０３から取得されたスクランブルパケットに施されたスクランブルを解除する。デスクランブル部２０６は、スクランブルが解除されたデスクランブルパケットを第３分離部２０７に出力する。
【００５８】
第３分離部２０７は、第１分離部２０２から取得されたＰＳＩやＳＩを含むパケットに基づいて、ノンスクランブルパケットおよびデスクランブルパケットから、ワンセグメント放送データとフルセグメント放送データとを抽出する。すなわち、第３分離部２０７は、ワンセグメント放送データとフルセグメント放送データとを分離する。第３分離部２０７によって分離されたワンセグメント放送データは、ＳＷ１がＯＮである場合に、後述する第１記憶部２０８ａに出力される。第３分離部２０７によって分離されたフルセグメント放送データは、ＳＷ２がＯＮである場合に、後述する第２記憶部２０８ｂに出力される。
【００５９】
記憶部２０８は、データを記憶するＨＤＤなどのストレージである。記憶部２０８は、図５に示すように、第１記憶部２０８ａと、第２記憶部２０８ｂとを有する。第１記憶部２０８ａは、ＳＷ１がＯＮである場合に、ワンセグメント放送データを記憶する。第２記憶部２０８ｂは、ＳＷ２がＯＮである場合に、フルセグメント放送データを記憶する。
【００６０】
制御部２０９は、端末装置２００の処理能力に基づいて、再生部２１１に出力するデータを制御する。制御部２０９の構成については、後に詳述する。
【００６１】
デコード部２１０は、ワンセグメント放送データまたはフルセグメント放送データの少なくとも一方についてデコード処理を行う。デコード部２１０は、ＳＷ５がＡ側に接続されている場合、ワンセグメント放送データのデコード処理を行う。デコード部２１０は、ＳＷ５がＢ側に接続されている場合、フルセグメント放送データのデコード処理を行う。デコード部２１０は、ワンセグメント放送データを取得した場合、映像情報を含むパケットについては、Ｈ．２６４／ＭＰＥＧ−４  ＡＶＣに基づいてデコード処理を行い、音声情報を含むパケットについては、ＭＰＥＧ−２  ＡＡＣに基づいてデコード処理を行ってもよい。また、デコード部２１０は、フルセグメント放送データを取得した場合、映像情報を含むパケットについては、ＭＰＥＧ−２  Ｖｉｄｅｏに基づいてデコード処理を行い、音声情報を含むパケットについては、ＭＰＥＧ−２  ＡＡＣに基づいてデコード処理を行ってもよい。デコード部２１０は、デコード処理されたデータを、再生部２１１に出力する。
【００６２】
再生部２１１は、デコード部２１０から取得されたデータ、すなわち、デコード処理されたワンセグメント放送データまたはデコード処理されたフルセグメント放送データを再生する再生処理を行う。再生部２１１は、例えば、映像やデータを表示する表示部、音声を出力するスピーカなどによって構成される。
【００６３】
（４．２）制御部の構成
制御部２０９は、図５に示すように、判定部２０９ａと、切替部２０９ｂとを有する。
【００６４】
判定部２０９ａは、端末装置２００の処理能力に基づいて、ワンセグメント放送データおよびフルセグメント放送データのうち、再生部２１１に出力するデータを判定する。具体的には、判定部２０９ａは、端末装置２００の処理能力が所定能力以上であるか否かについて判定する。判定部２０９ａは、端末装置２００の処理能力が所定能力以上である場合には、フルセグメント放送データを、再生部２１１に出力するデータとして判定する。判定部２０９ａは、端末装置２００の処理能力が所定能力未満である場合には、ワンセグメント放送データを、再生部２１１に出力するデータとして判定する。
【００６５】
端末装置２００の処理能力は、例えば、端末装置２００に搭載されたＣＰＵの性能などである。ＣＰＵの性能としては、例えば、クロック数、キャッシュサイズ、並列処理を実行可能か否か（コアの数が１つか複数か）などが挙げられる。
【００６６】
切替部２０９ｂは、ＳＷ１〜ＳＷ５の切り替えを制御する。具体的には、切替部２０９ｂは、図６に示すように、判定部２０９ａによる判定結果、モードおよびデータ種別に応じて、ＳＷ１〜ＳＷ５の切り替えを制御する。モードは、視聴モード、または視聴／録画モードである。データ種別のうち、視聴の対象となるデータ種別（すなわち、再生部２２１に出力されるデータ種別）は、判定部２０９ａの判定結果に対応する。図６においては、フルセグメント放送データが再生部２１１に出力するデータとして判定された場合（すなわち、端末装置２００の処理能力が所定能力以上である場合）、判定結果は○で示され、ワンセグメント放送データが再生部２１１に出力するデータとして判定された場合（すなわち、端末装置２００の処理能力が所定能力未満である場合）、判定結果は×で示される。また、データ種別のうち、録画の対象となるデータ種別（すなわち、記憶部２０８に記憶されるデータ種別）は、ワンセグメント放送データまたはフルセグメント放送データの少なくとも一方である。
【００６７】
まず、データの視聴のみを行い、データの録画を行わない視聴モードについて説明する。
【００６８】
フルセグメント放送データが再生部２１１に出力するデータとして判定された場合（すなわち、端末装置２００の処理能力が所定能力以上である場合）、切替部２０９ｂは視聴モードＡ１に従ってＳＷ１〜ＳＷ５の切り替えを制御する。具体的には、視聴モードＡ１では、切替部２０９ｂは、ＳＷ４をＢ側に接続し、ＳＷ５をＢ側に接続する。これによって、第３分離部２０７によって分離されたフルセグメント放送データが、デコード部２１０を介して再生部２１１に出力される。
【００６９】
一方、ワンセグメント放送データが再生部２１１に出力するデータとして判定された場合（すなわち、端末装置２００の処理能力が所定能力未満である場合）、切替部２０９ｂは視聴モードＡ２に従ってＳＷ１〜ＳＷ５の切り替えを制御する。具体的には、視聴モードＡ２では、切替部２０９ｂは、ＳＷ３をＢ側に接続し、ＳＷ５をＡ側に接続する。これによって、第３分離部２０７によって分離されたワンセグメント放送データが、フルセグメント放送データの代わりにデコード部２１０を介して再生部２１１に出力される。
【００７０】
次に、データの視聴と、データの録画との双方を行う視聴／録画モードについて説明する。
【００７１】
フルセグメント放送データが再生部２１１に出力するデータとして判定された場合（すなわち、端末装置２００の処理能力が所定能力以上である場合）、切替部２０９ｂは、視聴／録画モードＢ１，Ｂ２，Ｂ３のいずれかに従ってＳＷ１〜ＳＷ５の切り替えを制御する。
【００７２】
第１に、録画対象データ種別がワンセグメント放送データである場合には、切替部２０９ｂは、視聴／録画モードＢ１に従ってＳＷ１〜ＳＷ５の切り替えを制御する。具体的には、視聴／録画モードＢ１では、切替部２０９ｂは、ＳＷ１をＯＮにし、ＳＷ４をＢ側に接続し、ＳＷ５をＢ側に接続する。これによって、第３分離部２０７によって分離されたフルセグメント放送データがデコード部２１０を介して再生部２１１に出力されるとともに、第３分離部２０７によって分離されたワンセグメント放送データが第１記録部２０８ａに記憶される。
【００７３】
第２に、録画対象データ種別がフルセグメント放送データである場合には、切替部２０９ｂは、視聴／録画モードＢ２に従ってＳＷ１〜ＳＷ５の切り替えを制御する。具体的には、視聴／録画モードＢ２では、切替部２０９ｂは、ＳＷ２をＯＮにし、ＳＷ４をＡ側に接続し、ＳＷ５をＢ側に接続する。これによって、第３分離部２０７によって分離されたフルセグメント放送データが第２記録部２０８ｂに記憶されるとともに、第２記録部２０８ｂに記録されたフルセグメント放送データがデコード部２１０を介して再生部２１１に出力される。
【００７４】
第３に、録画対象データ種別がワンセグメント放送データおよびフルセグメント放送データの双方である場合には、切替部２０９ｂは、視聴／録画モードＢ３に従ってＳＷ１〜ＳＷ５の切り替えを制御する。具体的には、視聴／録画モードＢ３では、切替部２０９ｂは、ＳＷ１およびＳＷ２の双方をＯＮにし、ＳＷ４をＡ側に接続し、ＳＷ５をＢ側に接続する。これによって、第３分離部２０７によって分離されたフルセグメント放送データが第２記録部２０８ｂに記憶されるとともに、第２記録部２０８ｂに記録されたフルセグメント放送データがデコード部２１０を介して再生部２１１に出力される。また、第３分離部２０７によって分離されたワンセグメント放送データが、第１記録部２０８ａに記憶される。
【００７５】
一方、ワンセグメント放送データが再生部２１１に出力するデータとして判定された場合（すなわち、端末装置２００の処理能力が所定能力未満である場合）、視聴／録画モードＢ４，Ｂ５，Ｂ６のいずれかに従ってＳＷ１〜ＳＷ５の切り替えを制御する。
【００７６】
第１に、録画対象データ種別がワンセグメント放送データである場合には、切替部２０９ｂは、視聴／録画モードＢ４に従ってＳＷ１〜ＳＷ５の切り替えを制御する。具体的には、視聴／録画モードＢ４では、切替部２０９ｂは、ＳＷ１をＯＮにし、ＳＷ３をＡ側に接続し、ＳＷ５をＡ側に接続する。これによって、第３分離部２０７によって分離されたワンセグメント放送データが第１記録部２０８ａに記憶されるとともに、第１記録部２０８ａに記録されたワンセグメント放送データがデコード部２１０を介して再生部２１１に出力される
第２に、録画対象データ種別がフルセグメント放送データである場合には、切替部２０９ｂは、視聴／録画モードＢ５に従ってＳＷ１〜ＳＷ５の切り替えを制御する。具体的には、視聴／録画モードＢ５では、切替部２０９ｂは、ＳＷ２をＯＮにし、ＳＷ３をＢ側に接続し、ＳＷ５をＡ側に接続する。これによって、第３分離部２０７によって分離されたワンセグメント放送データがデコード部２１０を介して再生部２１１に出力されるとともに、第３分離部２０７によって分離されたフルセグメント放送データが第２記録部２０８ｂに記憶される。
【００７７】
第３に、録画対象データ種別がワンセグメント放送データおよびフルセグメント放送データの双方である場合には、切替部２０９ｂは、視聴／録画モードＢ６に従ってＳＷ１〜ＳＷ５の切り替えを制御する。具体的には、視聴／録画モードＢ６では、切替部２０９ｂは、ＳＷ１およびＳＷ２の双方をＯＮにし、ＳＷ３をＡ側に接続し、ＳＷ５をＡ側に接続する。これによって、第３分離部２０７によって分離されたワンセグメント放送データが第１記録部２０８ａに記憶されるとともに、第１記録部２０８ａに記録されたワンセグメント放送データがデコード部２１０を介して再生部２１１に出力される。また、第３分離部２０７によって分離されたフルセグメント放送データが第２記録部２０８ｂに記憶される。
【００７８】
このように、端末装置２００の処理能力が所定能力未満である場合においては、切替部２０９ｂがＳＷ５を常にＡ側に接続することにより、再生処理に係る負荷が小さいワンセグメント放送データが再生部２１１に出力される。
【００７９】
（５）受信システムの動作
次に、本発明の第１実施形態に係る受信システム１の動作について、図７を参照しながら説明する。図７は、第１実施形態に係る受信システム１の動作を示すフロー図である。
【００８０】
図７に示すように、ステップＳ１０において、外部機器１００は、ワンセグメント放送データ及びフルセグメント放送データが重畳されたデジタル放送データを受信する。
【００８１】
ステップＳ２０において、端末装置２００は、外部機器１００から取得されたデジタル放送データに基づいて、ワンセグメント放送データとフルセグメント放送データとを分離する。
【００８２】
ステップＳ３０において、端末装置２００は、自装置の処理能力に基づいて、ワンセグメント放送データおよびフルセグメント放送データのうち、再生部２１１に出力するデータを判定する。端末装置２００は、ワンセグメント放送データを再生部２１１に出力するすると判定した場合には、ステップＳ４０に移行する。一方、端末装置２００は、フルセグメント放送データを再生部２１１に出力すると判定した場合には、ステップＳ５０に移行する。
【００８３】
ステップＳ４０において、端末装置２００は、ワンセグメント放送データの再生処理を行う。
【００８４】
ステップＳ５０において、端末装置２００は、フルセグメント放送データの再生処理を行う。
【００８５】
なお、ステップＳ４０、またはステップＳ５０において、ワンセグメント放送データまたはフルセグメント放送データの少なくとも一方が記憶部２０８に記憶されてもよい。
【００８６】
（６）作用・効果
本発明の第１実施形態に係る受信システム１によれば、端末装置２００は、自装置の処理能力に基づいて、ワンセグメント放送データおよびフルセグメント放送データのうち、再生部２１１に出力するデータを判定し、判定されたデータを再生部２１１において再生する。このような構成によれば、端末装置２００は、自装置の処理能力が所定能力以上である場合には、再生処理に係る負荷が大きいフルセグメント放送データを再生し、自装置の処理能力が所定能力未満である場合には、再生処理に係る負荷が小さいワンセグメント放送データを再生する。
【００８７】
ここで、端末装置２００の処理能力が低い場合にフルセグメント放送データを再生すると、高品位な画像を適切に視聴できない場合がある。その結果、ワンセグメント放送データを再生する場合と比較して、コンテンツの品位が却って悪くなる。そこで、自装置の処理能力が所定能力未満である場合にはワンセグメント放送データを再生し、自装置の処理能力が所定能力以上である場合にフルセグメント放送データを再生することによって、ある程度の品質以上を維持しながら、デジタル放送データに基づいてコンテンツを端末装置２００のユーザに視聴させることができる。
【００８８】
また、本発明の第１実施形態に係る受信システム１によれば、端末装置２００は、自装置の処理能力が所定能力未満であると判定した場合には、ワンセグメント放送データを再生し、フルセグメント放送データを記憶することができる（視聴／録画モードＢ５，Ｂ６）。このような構成によれば、端末装置２００のユーザに対して、ワンセグメント放送については直ちに視聴させることができ、フルセグメント放送については後で視聴させることができる。よって、ワンセグメント放送の視聴と、フルセグメント放送の視聴との両立を図ることができる。
【００８９】
（７）変形例１
以下において、本発明の第１実施形態の変形例１に係る端末装置２００について説明する。上記した本発明の第１実施形態では、端末装置２００の判定部２０９ａが、再生部２１１に出力するデータを、端末装置２００の処理能力に基づいて判定する場合について説明したが、本発明はこれには限定されない。
【００９０】
例えば、判定部２０９ａは、端末装置２００の処理能力に加え、再生部２１１における再生処理に割当て可能な端末装置２００の処理能力に基づいて、再生部２１１に出力するデータを判定してもよい。
【００９１】
再生処理に割当て可能な端末装置２００の処理能力としては、端末装置２００のＣＰＵの未使用率などがある。本変形例１に係る判定部２０９ａは、再生処理に割当て可能な端末装置２００の処理能力、すなわちＣＰＵの未使用率を判定するために、端末装置２００のＣＰＵ使用率を監視する。判定部２０９ａは、例えば、端末装置２００のＣＰＵ使用率が所定値未満である場合には、再生処理に割当て可能な端末装置２００の処理能力が所定値以上であると判定する。一方、判定部２０９ａは、端末装置２００のＣＰＵ使用率が所定値以上である場合には、再生処理に割当て可能な端末装置２００の処理能力が所定値未満であると判定する。
【００９２】
判定部２０９ａは、例えば、端末装置２００の処理能力が所定能力以上であり、かつ、再生処理に割当て可能な端末装置２００の処理能力が所定値以上である場合に、フルセグメント放送データを、再生部２１１に出力するデータとして判定する。また、判定部２０９ａは、例えば、端末装置２００の処理能力が所定能力未満である場合、あるいは再生処理に割当て可能な端末装置２００の処理能力が所定値未満である場合の少なくとも一方の場合には、ワンセグメント放送データを、再生部２１１に出力するデータとして判定する。
【００９３】
（８）変形例２
以下において、本発明の第１実施形態の変形例１に係る端末装置２００について説明する。上記した本発明の第１実施形態では、端末装置２００の判定部２０９ａが、再生部２１１に出力するデータを、端末装置２００の処理能力に基づいて判定する場合について説明したが、本発明はこれには限定されない。
【００９４】
例えば、判定部２０９ａは、端末装置２００の処理能力に加え、再生部２１１における再生処理において単位時間当たりに再生する情報量に基づいて、再生部２１１に出力するデータを判定してもよい。
【００９５】
本変形例２に係る判定部２０９ａは、例えば、再生処理において単位時間当たりに再生する情報量として、デジタル放送データのビットレートを監視する。判定部２０９ａは、例えば、デジタル放送データのビットレートが所定値以上である場合には、再生処理において単位時間当たりに再生する情報量が所定値以上であると判定する。一方、判定部２０９ａは、例えば、デジタル放送データのビットレートが所定値未満である場合には、再生処理において単位時間当たりに再生する情報量が所定値未満であると判定する。
【００９６】
判定部２０９ａは、例えば、端末装置２００の処理能力が所定能力以上である場合であっても、再生処理において単位時間当たりに再生する情報量が所定値以上であると判定した場合には、ワンセグメント放送データを、再生部２１１に出力するデータとして判定する。これにより、再生部２１１における負荷を軽減することができる。また、判定部２０９ａは、例えば、端末装置２００の処理能力が所定能力未満である場合であっても、再生処理において単位時間当たりに再生する情報量が所定値未満であると判定した場合には、フルセグメント放送データを、再生部２１１に出力するデータとして判定する。これにより、ユーザに視聴させるコンテンツの品質を一時的に向上することができる。
【００９７】
［第２実施形態］
以下において、本発明の第２実施形態に係る受信システムについて、図面を参照しながら説明する。なお、以下においては、上述した第１実施形態と第２実施形態との差異について主として説明する。
【００９８】
具体的には、上述した第１実施形態では、ワンセグメント放送データとフルセグメント放送データとが、分離された状態で記憶される。これに対し、第２実施形態では、ワンセグメント放送データとフルセグメント放送データとが、混合された状態で記憶される。
【００９９】
（１）端末装置の構成
（１．１）端末装置の概略構成
以下において、本発明の第２実施形態に係る端末装置の概略構成について、図８を参照しながら説明する。図８は、第２実施形態に係る端末装置３００を示すブロック図である。
【０１００】
端末装置３００は、図８に示すように、インタフェース３０１と、第１分離部３０２と、第２分離部３０３と、チャネル情報解析部３０４と、ＣＡモジュール３０５と、デスクランブル部３０６と、第３分離部３０７と、記憶部３０８と、制御部３０９と、デコード部３１０と、再生部３１１と、混合部３１２と、スイッチ群（ＳＷ６〜ＳＷ８）とを備える。インタフェース３０１、チャネル情報解析部３０４、ＣＡモジュール３０５、および再生部３１１については、上述した第１実施形態におけるインタフェース２０１、チャネル情報解析部２０４、ＣＡモジュール２０５、および再生部２１１と同様であるため、説明を省略する。
【０１０１】
上述した第１実施形態との主な相違点は、第１実施形態における第３分離部２０７が接続されていた箇所に混合部３１２が接続されている点、および、第３分離部３０７が記憶部３０８とデコード部３１０との間に接続されている点である。
【０１０２】
第１分離部３０２は、パケットに含まれるＰＩＤを参照して、ＰＳＩやＳＩを含むパケットを分離する。第１分離部３０２は、ＰＳＩやＳＩを含むパケットをチャネル情報解析部３０４および混合部３１２に出力する。第１分離部３０２は、ＰＳＩやＳＩを除いた他のパケットを第２分離部３０３に出力する。ＰＳＩやＳＩを除いた他のパケットには、映像情報を含むパケット、音声情報を含むパケット、データ情報を含むパケットなどが含まれる。
【０１０３】
第２分離部３０３は、ＰＳＩやＳＩを含むパケットを除いた他のパケットを分離する。具体的には、第２分離部３０３は、スクランブルが施されたスクランブルパケットと、スクランブルが施されていないノンスクランブルパケットとを分離する。スクランブルパケットには、フルセグメント放送データが含まれる。ノンスクランブルパケットには、少なくともワンセグメント放送データが含まれる。ノンスクランブルパケットには、フルセグメント放送データが含まれていてもよい。
【０１０４】
第２分離部３０３は、スクランブルパケットをデスクランブル部３０６に出力する。第２分離部３０３は、ノンスクランブルパケットを混合部３１２に出力する。
【０１０５】
デスクランブル部３０６は、スクランブル鍵を用いて、デジタル放送データに施されたスクランブルを解除するデスクランブル処理を行う。具体的には、デスクランブル部３０６は、ＣＡモジュール３０５から取得されるスクランブル鍵を用いて、第２分離部３０３から取得されたスクランブルパケットに施されたスクランブルを解除する。デスクランブル部３０６は、スクランブルが解除されたデスクランブルパケットを混合部３１２に出力する。
【０１０６】
混合部３１２は、第１分離部３０２から取得されたＰＳＩやＳＩを含むパケットに基づいて、ノンスクランブルパケットおよびデスクランブルパケットを混合した混合データを生成する。混合部３１２によって生成された混合データは、ＳＷ６がＯＮである場合に、記憶部３０８に出力される。混合部３１２によって生成された混合データは、ＳＷ７がＢ側に接続されている場合に、第３分離部３０７に出力される。
【０１０７】
記憶部２０８は、データを記憶するＨＤＤなどのストレージである。記憶部２０８は、ＳＷ６がＯＮである場合に、混合データを記憶する。記憶部２０８に記憶された混合データは、ＳＷ７がＡ側に接続されている場合に、第３分離部３０７に出力される。
【０１０８】
制御部２０９は、端末装置３００の処理能力に基づいて、再生部２１１に出力するデータを制御する。制御部２０９の構成については、後に詳述する。
【０１０９】
第３分離部３０７は、第１分離部３０２から取得されたＰＳＩやＳＩを含むパケットに基づいて、混合データから、ワンセグメント放送データとフルセグメント放送データとを抽出する。すなわち、第３分離部３０７は、ワンセグメント放送データとフルセグメント放送データとを分離する。
【０１１０】
具体的には、第３分離部３０７は、ＳＷ６がＯＮである場合、かつ、ＳＷ７がＡ側に接続されている場合に、記憶部２０８から混合データを取得する。第３分離部３０７は、ＳＷ７がＢ側に接続されている場合に、混合部３１２から混合データを取得する。第３分離部３０７は、取得された混合データを、ワンセグメント放送データとフルセグメント放送データとに分離する。ＳＷ８がＡ側に接続されている場合には、第３分離部３０７によって分離されたデータのうちワンセグメント放送データがデコード部３１０に出力される。ＳＷ８がＢ側に接続されている場合には、第３分離部３０７によって分離されたデータのうちフルセグメント放送データがデコード部３１０に出力される。
【０１１１】
デコード部３１０は、ワンセグメント放送データまたはフルセグメント放送データの少なくとも一方についてデコード処理を行う。デコード部３１０は、ＳＷ８がＡ側に接続されている場合、ワンセグメント放送データのデコード処理を行う。デコード部３１０は、ＳＷ８がＢ側に接続されている場合、フルセグメント放送データのデコード処理を行う。デコード部３１０は、デコード処理されたデータを、再生部３１１に出力する。
【０１１２】
（１．２）制御部の構成
制御部３０９は、図８に示すように、判定部３０９ａと、切替部３０９ｂとを有する。
【０１１３】
判定部３０９ａは、端末装置３００の処理能力に基づいて、ワンセグメント放送データおよびフルセグメント放送データのうち、再生部３１１に出力するデータを判定する。具体的には、判定部３０９ａは、端末装置３００の処理能力が所定能力以上であるか否かについて判定する。判定部３０９ａは、端末装置３００の処理能力が所定能力以上である場合には、フルセグメント放送データを、再生部３１１に出力するデータとして判定する。判定部３０９ａは、端末装置３００の処理能力が所定能力未満である場合には、ワンセグメント放送データを、再生部３１１に出力するデータとして判定する。
【０１１４】
端末装置３００の処理能力は、上述した第１実施形態と同様に、例えば、端末装置３００に搭載されたＣＰＵの性能などである。ＣＰＵの性能としては、例えば、クロック数、キャッシュサイズ、並列処理を実行可能か否か（コアの数が１つか複数か）などが挙げられる。
【０１１５】
切替部３０９ｂは、ＳＷ６〜ＳＷ８の切り替えを制御する。具体的には、切替部３０９ｂは、図９に示すように、判定部３０９ａによる判定結果、およびモードに応じて、ＳＷ６〜ＳＷ８の切り替えを制御する。モードは、視聴モード、または視聴／録画モードである。なお、視聴／録画モードでは、ワンセグメント放送データとフルセグメント放送データとが混合された混合データが録画される。視聴対象データ種別（すなわち、再生部３１１に出力されるデータ種別）は、判定部３０９ａの判定結果に対応する。図９においては、フルセグメント放送データが再生部３１１に出力するデータとして判定された場合（すなわち、端末装置３００の処理能力が所定能力以上である場合）、判定結果は○で示され、ワンセグメント放送データが再生部３１１に出力するデータとして判定された場合（すなわち、端末装置３００の処理能力が所定能力未満である場合）、判定結果は×で示される。
【０１１６】
まず、データの視聴のみを行い、データの録画を行わない視聴モードについて説明する。
【０１１７】
フルセグメント放送データが再生部３１１に出力するデータとして判定された場合（すなわち、端末装置３００の処理能力が所定能力以上である場合）、切替部３０９ｂは視聴モードＣ１に従ってＳＷ６〜ＳＷ８の切り替えを制御する。具体的には、視聴モードＣ１では、切替部３０９ｂは、ＳＷ７をＢ側に接続し、ＳＷ８をＢ側に接続する。これによって、混合部３１２から出力された混合データが第３分離部３０７によって分離され、第３分離部３０７によって分離されたフルセグメント放送データが、デコード部３１０を介して再生部３１１に出力される。
【０１１８】
一方、ワンセグメント放送データが再生部３１１に出力するデータとして判定された場合（すなわち、端末装置３００の処理能力が所定能力未満である場合）、切替部３０９ｂは視聴モードＣ２に従ってＳＷ６〜ＳＷ８の切り替えを制御する。具体的には、視聴モードＣ２では、切替部３０９ｂは、ＳＷ７をＢ側に接続し、ＳＷ８をＡ側に接続する。これによって、混合部３１２から出力された混合データが第３分離部３０７によって分離され、第３分離部３０７によって分離されたワンセグメント放送データが、フルセグメント放送データの代わりにデコード部３１０を介して再生部３１１に出力される。
【０１１９】
次に、データの視聴と、データの録画との双方を行う視聴／録画モードについて説明する。
【０１２０】
フルセグメント放送データが再生部３１１に出力するデータとして判定された場合（すなわち、端末装置３００の処理能力が所定能力以上である場合）、切替部３０９ｂは、視聴／録画モードＤ１に従って、ＳＷ６〜ＳＷ８の切り替えを制御する。具体的には、視聴／録画モードＤ１では、切替部３０９ｂは、ＳＷ６をＯＮにし、ＳＷ７をＡ側に接続し、ＳＷ８をＢ側に接続する。ＳＷ６がＯＮであり、ＳＷ７がＡ側に接続されることによって、混合部３１２から出力された混合データが記憶部２０８に記憶されるとともに、記憶部２０８に記憶された混合データが第３分離部３０７に出力される。そして、ＳＷ８がＢ側に接続されることによって、第３分離部３０７によって分離されたフルセグメント放送データが、デコード部３１０を介して再生部３１１に出力される。
【０１２１】
一方、ワンセグメント放送データが再生部３１１に出力するデータとして判定された場合（すなわち、端末装置３００の処理能力が所定能力未満である場合）、切替部３０９ｂは、視聴／録画モードＤ２に従って、ＳＷ６〜ＳＷ８の切り替えを制御する。具体的には、視聴／録画モードＤ２では、切替部３０９ｂは、ＳＷ６をＯＮにし、ＳＷ７をＡ側に接続し、ＳＷ８をＢ側に接続する。ＳＷ６がＯＮであり、ＳＷ７がＡ側に接続されることによって、混合部３１２から出力された混合データが記憶部３０８に記憶されるとともに、記憶部３０８に記憶された混合データが第３分離部３０７に出力される。そして、ＳＷ８がＡ側に接続されることによって、第３分離部３０７によって分離されたワンセグメント放送データが、デコード部３１０を介して再生部３１１に出力される。
【０１２２】
このように、端末装置３００の処理能力が所定能力未満である場合においては、切替部３０９ｂがＳＷ８を常にＡ側に接続することにより、再生処理に係る負荷が小さいワンセグメント放送データが再生部３１１に出力される。
【０１２３】
（２）作用・効果
本発明の第２実施形態に係る受信システム１によれば、端末装置３００は、自装置の処理能力に基づいて、ワンセグメント放送データおよびフルセグメント放送データのうち、再生部３１１に出力するデータを判定し、判定されたデータを再生部３１１において再生する。このような構成によれば、上述した第１実施形態と同様に、端末装置３００は、自装置の処理能力が所定能力以上である場合には、再生処理に係る負荷が大きいフルセグメント放送データを再生し、自装置の処理能力が所定能力未満である場合には、再生処理に係る負荷が小さいワンセグメント放送データを再生することができる。従って、ある程度の品質以上を維持しながら、デジタル放送データに基づいてコンテンツを端末装置３００のユーザに視聴させることができる。
【０１２４】
また、本発明の第２実施形態に係る受信システム１によれば、端末装置３００は、ワンセグメント放送データおよびフルセグメント放送データが混合された混合データを記憶することができる（視聴／録画モードＤ２）。このような構成によれば、端末装置３００のユーザに対して、ワンセグメント放送については直ちに視聴させることができ、ワンセグメント放送およびフルセグメント放送の双方について後で視聴させることができる。よって、ワンセグメント放送の視聴と、フルセグメント放送の視聴との両立を図ることができるとともに、放送の録画後に、視聴する放送の選択をユーザに行わせることができる。
【０１２５】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【０１２６】
例えば、上述した第１実施形態では、切替部２０９ｂが、視聴モードまたは視聴／録画モードに従ってＳＷ１〜ＳＷ５の切り替えを制御する場合について説明したが、切替部２０９ｂは、データの録画のみを行い、データの視聴を行わない録画モードに従ってＳＷ１〜ＳＷ５の切り替えを制御してもよい。例えば、ワンセグメント放送データの録画を行う録画モードでは、切替部２０９ｂは、ＳＷ１をＯＮにし、ＳＷ２をＯＦＦにする。また、例えば、フルセグメント放送データの録画を行う録画モードでは、切替部２０９ｂは、ＳＷ１をＯＦＦにし、ＳＷ２をＯＮにする。また、例えば、ワンセグメント放送データおよびフルセグメント放送データの双方を録画する録画モードでは、切替部２０９ｂは、ＳＷ１およびＳＷ２の双方をＯＮにする。
【０１２７】
また、例えば、受信システム１の動作（すなわち、図７に示したフロー）をコンピュータに実行させるプログラムが提供されてもよい。また、このようなプログラムが格納された記憶媒体が提供されてもよい。プログラムが格納された記憶媒体は、例えば、端末装置２００に付属するＣＤ−ＲＯＭなどである。
【０１２８】
また、フルセグメント放送データは、映像情報、音声情報及びデータ情報に加えて、字幕情報を含んでもよいことは勿論である。
【０１２９】
また、上述した第１実施形態では、ワンセグメント放送データ及びフルセグメント放送データを含むデジタル放送データについて例示した。しかしながら、デジタル放送データはこれに限定されるものではないことは勿論である。
【０１３０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１３１】
【図１】第１実施形態に係る受信システム１を示す図である。
【図２】第１実施形態に係るデジタル放送データを説明するための図である。
【図３】第１実施形態に係るデジタル放送データを説明するための図である。
【図４】第１実施形態に係る外部機器１００を示すブロック図である。
【図５】第１実施形態に係る端末装置２００を示すブロック図である。
【図６】第１実施形態に係るＳＷ群の切り替え例を示す図である。
【図７】第１実施形態に係る受信システム１の動作を示すフロー図である。
【図８】第２実施形態に係る端末装置３００を示すブロック図である。
【図９】第２実施形態に係るＳＷ群の切り替え例を示す図である。
【符号の説明】
【０１３２】
１…受信システム、１００…外部機器、１１０…アンテナ、１２０…受信処理部、１３０…インタフェース、２００…端末装置、２０１…インターフェース、２０２…第１分離部、２０３…第２分離部、２０４…チャネル情報解析部、２０５…ＣＡモジュール、２０６…デスクランブル部、２０７…第３分離部、２０８…記憶部、２０８ａ…第１記憶部、２０８ｂ…第２記憶部、２０９…制御部、２０９ａ…判定部、２０９ｂ…切替部、２１０…デコード部、２１１…再生部、３００…端末装置、３０１…インタフェース、３０２…第１分離部、３０３…第２分離部、３０４…チャネル情報解析部、３０５…ＣＡモジュール、３０６…デスクランブル部、３０７…第３分離部、３０８…記憶部、３０９…制御部、３０９ａ…判定部、３０９ｂ…切替部、３１０…デコード部、３１１…再生部、３１２…混合部、ＳＷ１〜ＳＷ８…スイッチ．
【図１】
2010093500.tif 000003
【図２】
2010093500.tif 000004
【図３】
2010093500.tif 000005
【図４】
2010093500.tif 000006
【図５】
2010093500.tif 000007
【図６】
2010093500.tif 000008
【図７】
2010093500.tif 000009
【図８】
2010093500.tif 000010
【図９】
2010093500.tif 000011